(57)【特許請求の範囲】
【請求項１】
Ｃ8−Ｃ24長鎖一級アミン、エトキシ化三級シクロアルキルアミン、およびアミノ酸を備え、
前記添加組成物がホウ素無しで二級アミンを含まない、添加組成物。
【請求項２】
加工液であって、
石油系または非石油系油；
水、
Ｃ8−Ｃ24長鎖一級アミン、
エトキシ化三級シクロアルキルアミン、および
アミノ酸を備え、
前記加工液がホウ素無しで二級アミンを含まないことを特徴とする、加工液。
【請求項３】
前記エトキシ化三級シクロアルキルアミンが、ジ（エタノール）シクロペンチルアミン、ジ（エタノール）シクロヘキシルアミン、ジ（エタノール）シクロヘプチルアミン、ジシクロペンチル（エタノール）アミン、またはジシクロヘキシル（エタノール）アミンから選択される、請求項２に記載の加工液。
【請求項４】
前記アミノ酸が、アラニン、アルギニン、アスパラギン、アスパラギン酸、システイン、グルタミン、グルタミン酸、グリシン、ヒスチジン、イソロイシン、ロイシン、リジン、メチオニン、フェニルアラニン、セリン、トレオニン、トリプトファン、チロシン、またはバリンである、請求項２に記載の加工液。
【請求項５】
メタノールアミン、エタノールアミン、プロパノールアミン、トリメタノールアミン、トリエタノールアミン、トリプロパノールアミン、メチルジメタノールアミン、エチルジメタノールアミン、プロピルジメタノールアミン、シクロヘキシルジメタノールアミン、メチルジエタノールアミン、エチルジエタノールアミン、またはプロピルジエタノールアミンを含むアルカノールアミンを更に備える、請求項２に記載の加工液。
【請求項６】
ヒマシ油に由来する重合リシノール酸である重合脂肪酸、又は、ダイズ油若しくは亜麻仁油に由来する重合脂肪酸を更に備える、請求項２に記載の加工液。
【請求項７】
前記石油系油を備える、請求項２に記載の加工液。
【請求項８】
さらにリン酸エステルおよび／またはエトキシル化脂肪族アミンを備える、請求項２に記載の加工液。
【請求項９】
さらにヒドロカルビルスクシンイミドを備える、請求項２に記載の加工液。
【請求項１０】
さらに含硫化合物を備える、請求項２に記載の加工液。
【請求項１１】
含硫化合物およびリン酸エステルを備え、前記リン酸エステル対前記含硫化合物内の硫黄の重量比が２５：１から１：１である、請求項２に記載の加工液。
【請求項１２】
さらに脂肪族カルボン酸または脂肪族ジカルボン酸を備える、請求項２に記載の加工液。
【請求項１３】
さらに消泡剤、腐食防止剤、または嗅覚剤を備える添加剤を備える、請求項２に記載の加工液。
【請求項１４】
少なくとも９のｐＨを有する、請求項２に記載の加工液。
【発明の詳細な説明】
【技術分野】
【０００１】
本技術は、概して添加組成物および工業加工液に関する。具体的には、本技術は環境に優しい金属加工、金属成形、鍛造、鉱業（ｍｉｎｉｎｇ）液に関する。
【背景技術】
【０００２】
金属加工液および金属成形液は、金属切削、研磨、ボーリング、ドリル加工、旋削、成形、アイロニング、圧印、スタンピング、およびプレス絞りなどの操作間のその冷却、潤滑、および耐食性のために、機械製造または切削加工産業を通して広範囲にわたって使用されている。かかる液体は、一般的にはオイル、洗剤、界面活性剤、殺生物剤、潤滑剤、腐食防止剤、および他の潜在的に有害な原料の複合混合物から作られる。例えば、業務用液体はアルカリ性ｐＨ値を維持するため、および金属加工液および金属成形液内の酸性官能基成分を中和するためのアルカノールアミンと併用してホウ酸、アルカリホウ酸塩、およびホウ酸エステルなどの添加剤を取り入れる可能性がある。
【０００３】
液体が金属成形および切削加工に必須である一方で、発疹、癌の発生率の増加可能性、呼吸器問題および他の問題点を含むがこれらに限定されない、作業者曝露に因んだ危険のために、現在より一層精密に調査されている。液体は、それらの廃棄に伴う相当な環境問題を提起する可能性がある。安全でより環境に優しい機能性液体への必要性が今世界的に一致している。
【発明の概要】
【発明が解決しようとする課題】
【０００４】
一態様では、添加組成物を提供する。添加組成物は、長鎖一級アミン；三級シクロアルキルアミンおよびアミノ酸を含み；加工液はホウ素無しで二級アミンを含まないことを特徴とする。添加組成物は潤滑特性、耐食および緩衝能力を亢進させる水性の工業加工液における使用に適している。さらには、添加組成物を含有する加工液は、ホウ素無しで二級アミンを含まないために従来の液体と比較して、環境への毒性が低く、作業者へのマイナスな健康影響を呈することが少ない。添加組成物の任意の実施形態では、長鎖一級アミンはＣ8−Ｃ24一級アミンであり得る。例えば、長鎖一級アミンはオクチルアミン、ノニルアミン、デシルアミン、ウンデシルアミン、ドデシルアミン、トリデシルアミン、テトラデシルアミン、ペンタデシルアミン、ヘキサデシルアミン、ヘプタデシルアミン、またはオクタデシルアミンを含み得る。添加組成物の任意の実施形態では、三級シクロアルキルアミンは、ジ（エタノール）シクロペンチルアミン、ジ（エタノール）シクロヘキシルアミン、ジ（エタノール）シクロヘプチルアミン、ジシクロペンチル（エタノール）アミン、またはジシクロヘキシル（エタノール）アミンを含むエトキシ化三級シクロアルキルアミンであり得る。添加組成物の任意の実施形態では、アミノ酸は式ＮＨ2ＣＨＲ2ＣＯ2Ｈ、式中Ｒ2は水素、アルキル、またはアリール、であり得る。例えば、アミノ酸はアラニン、アルギニン、アスパラギン、アスパラギン酸、システイン、グルタミン、グルタミン酸、グリシン、ヒスチジン、イソロイシン、ロイシン、リジン、メチオニン、フェニルアラニン、プロリン、セリン、トレオニン、トリプトファン、チロシン、またはバリンを含み得る。
【０００５】
他の態様では、加工液を提供する。加工液は石油系または非石油系の油；水；長鎖一級アミン；三級シクロアルキルアミン；およびアミノ酸を含み；加工液はホウ素無しで二級アミンを含まないことを特徴とする。加工液の任意の実施形態では、長鎖一級アミンはＣ8−Ｃ24一級アミンであり得る。例えば、長鎖一級アミンはオクチルアミン、ノニルアミン、デシルアミン、ウンデシルアミン、ドデシルアミン、トリデシルアミン、テトラデシルアミン、ペンタデシルアミン、ヘキサデシルアミン、ヘプタデシルアミン、またはオクタデシルアミンを含み得る。加工液の任意の実施形態では、三級シクロアルキルアミンは、ジ（エタノール）シクロペンチルアミン、ジ（エタノール）シクロヘキシルアミン、ジ（エタノール）シクロヘプチルアミン、ジシクロペンチル（エタノール）アミン、またはジシクロヘキシル（エタノール）アミンを含むエトキシ化三級シクロアルキルアミンであり得る。加工液の任意の実施形態では、アミノ酸は式ＮＨ2ＣＨＲ2ＣＯ2Ｈ、式中Ｒ2は水素、アルキル、またはアリール、のであり得る。例えば、アミノ酸はアラニン、アルギニン、アスパラギン、アスパラギン酸、システイン、グルタミン、グルタミン酸、グリシン、ヒスチジン、イソロイシン、ロイシン、リジン、メチオニン、フェニルアラニン、プロリン、セリン、トレオニン、トリプトファン、チロシン、またはバリンを含み得る。
【０００６】
加工液のいくつかの実施形態では、石油系の油を含む。加工液の他の実施形態では、非石油系の油を含む。加工液のさらなる実施形態では、石油と非−石油系の油の混合物を含む。
【０００７】
加工液の任意の実施形態では、一つ以上の、下記の添加剤が含まれ得る：アルカノールアミン、重合脂肪酸、リン酸エステル、エトキシル化脂肪族アミン、ヒドロカルビルスクシンイミド、含硫化合物、脂肪族カルボン酸、脂肪族ジカルボン酸、消泡剤、腐食防止剤、または嗅覚剤（ｏｌｆａｃｔｏｒｙ  ａｇｅｎｔ）。
【０００８】
加工液の任意の実施形態では、液体は塩基性のｐＨを有し得る。例えば、加工液のｐＨは９またはそれ以上であり得る。
【０００９】
加工液は、金属加工液、金属成形液、鍛造液、および鉱業液を含むがこれに限定されない、広く様々な用途で使用され得る。従って、いくつかの実施形態では、金属加工液は任意の上記加工液を含む。他の実施形態では、金属成形液は任意の上記加工液を含む。他の実施形態では、鍛造液は任意の上記加工液を含む。他の実施形態では、鉱業液は任意の上記加工液を含む。
【発明を実施するための形態】
【００１０】
様々な実施形態が以下に記載される。具体的な実施形態は、網羅的な説明または本明細書に記載されるより広い態様に対する限定として意図されないことに留意されたい。特定の実施形態と併せて記載される一態様は、必ずしもその実施形態に限定されず、任意の他の実施形態で実行することができる。
【００１１】
本明細書で使用するとき、「約」は当業者によって理解され、それが使用される文脈によってある程度まで変動するだろう。当業者にとって明確でない用語の使用があれば、それが使用される文脈を考慮し、「約」は特定の用語のプラスまたはマイナス１０％までを意味するだろう。
【００１２】
要素について記載している文脈における（特に下記の請求項の文脈における）用語「ａ」および「ａｎ」および「前記（ｔｈｅ）」および類似の指示物の使用は、本明細書で指示または文脈によって明確に否定しない限り、単数および複数の両方を包含すると解釈されるべきである。本明細書で別段指示されないかぎり、本明細書の値の範囲の列挙は、範囲内に入る各別個の値を個別に言及する簡便な方法として役立つことを単に意図しており、各別個の値は、本明細書で個別に列挙されたかのように明細書に組み込まれる。本明細書に記載の全ての方法は、本明細書に別段指示されるまたは文脈によって明確に否定されない限り、任意の好適な順番で行われることができる。任意および全ての例の使用、または本明細書で提供される例示的な言語（例えば、「などの（ｓｕｃｈ  ａｓ）」）は、単によりよく実施形態を解明することを意図しており、別段の記述がない限り、特許請求の範囲に限定を持ち出すものではない。明細書内のいかなる言語も不可欠な任意の非特許請求要素を示すと解釈されるべきではない。
【００１３】
一般に、「置換」は分子の一つ以上の水素原子と非−水素分子または原子団との置き換えを意味する。少なくとも二つ以上の原子からなる置換基は、二重または三重結合を含む多重結合、並びに一つ以上のヘテロ原子、すなわち、例えば窒素、酸素などのような、水素および炭素原子以外の原子を含有し得る。置換基の例としては：ヒドロキシル；アルコキシ、アルケノキシ、アルキノキシ、アリールオキシ、アラルキルオキシ、ヘテロシクリルオキシ、およびヘテロシクリルアルコキシ基；カルボニル（オキソ）；カルボキシル；エステル；ウレタン；オキシム；ヒドロキシルアミン；アルコキシアミン；アラルコキシアミン（ａｒａｌｋｏｘｙａｍｉｎｅｓ）；チオール；スルフィド；スルホキシド；スルホン；スルホニル；スルホンアミド；アミン；Ｎ−オキシド；ヒドラジン；ヒドラジド；ヒドラゾン；アジド；アミド；尿素；アミジン；グアニジン；エナミン；イミド；イソシアネート；イソチオシアネート；シアン酸塩；チオシアン酸塩；イミン；ニトロ基；および同類のものが挙げられる。
【００１４】
本明細書で使用するとき、「アルキル」基は１個から約２０個の炭素原子、および一般的に１個から１２個の炭素または、いくつかの実施形態では、１個から８個炭素原子を有する直鎖および分岐鎖アルキル基を含む。本明細書で採用されるとき、「アルキル基」は以下に定義されるシクロアルキル基を含む。アルキル基は置換または非置換であり得る。直鎖アルキル基の例としては、メチル、エチル、ｎ−プロピル、ｎ−ブチル、ｎ−ペンチル、ｎ−ヘキシル、ｎ−ヘプチル、およびｎ−オクチル基が挙げられる。分岐鎖アルキル基の例としては、イソプロピル、ｓｅｃ−ブチル、ｔ−ブチル、ネオペンチル、およびイソペンチル基が挙げられるがこれらに限定されない。代表的な置換アルキル基は、例えば、アミノ、チオ、ヒドロキシ、またはアルコキシ基と一回以上置換され得る。
【００１５】
シクロアルキル基は、シクロプロピル、シクロブチル、シクロペンチル、シクロヘキシル、シクロへプチル、およびシクロオクチル基などの、しかしこれらに限定されない環状アルキル基である。シクロアルキル基は置換または非置換であり得る。シクロアルキル基はさらにノルボルニル、アダマンチル、ボルニル、カンフェニル、イソカンフェニル、およびカレニル基などの、しかしこれらに限定されない多環シクロアルキル基および、デカリニル、および同類のものなどの、しかしこれらに限定されない縮合環を含む。シクロアルキル基は上述の直鎖または分岐鎖アルキル基と置換される環も含む。代表的な置換シクロアルキル基は、下記などのように、しかしこれらの限定されない、一置換または一度より多く置換され得る：２，２−；２，３−；２，４−；２，５−；または２，６−二置換シクロヘキシル基または一、二、または三置換ノルボルニルまたはシクロへプチル基、そしてこれらは、例えば、アルキル、アルコキシ、アミノ、チオ、ヒドロキシ、シアノ、および／またはハロ基と置換され得る。
【００１６】
本明細書で使用するとき、「ホウ素を含まない」または「ホウ素無し」はホウ素が微量レベルでのみ存在することを示す。これは組成物が０．５重量パーセント未満のホウ素を含有する場合を含み得る。いくつかの実施形態では、これは組成物が０．１重量％未満のホウ素、または０．０５重量％未満のホウ素を含有する場合を含み得る。本明細書で使用するとき、「二級アミンを含まない」または「二級アミン無し」は二級アミンが微量レベルの量でのみ存在することを示す。これは組成物が０．５重量％未満の二級アミンを含有する場合を含み得る。いくつかの実施形態では、これは組成物が０．１重量％未満の二級アミン、または０．０５重量％未満の二級アミンを含有する場合を含み得る。
【００１７】
本明細書に水混和性工業加工液を提供する。本明細書で使用するとき、水混和性という用語は水と混合できる液体を意味する。加工液は、金属加工および金属成形液として含まれ、様々な用途で使用されている現在最先端の液体に対する環境に配慮した代替品とされる。提供される加工液はホウ素および二級アミンを含まず、揮発有機成分（ＶＯＣｓ）の量が全くないまたは少ない。加工液は概して、液体に接触することになり得る金属作業者および他者に対して無害であるべきである。
【００１８】
加工液は、金属加工、切削、研磨、および金属成形産業を含むがこれらに限定されない、工業用潤滑剤およびプロセスにおいて使用される広い範囲の生成物に組み込まれ得る基本液体である。あるいは、加工液はプロセスクリーナー（ｐｒｏｃｅｓｓ  ｃｌｅａｎｅｒ）、水性油圧液、および鉱業液として使用され得る。水性混和加工液は、５０重量％を超える鉱物油を含有し、水で希釈された場合１μｍより大きい粒度で乳剤を形成する水溶性油；０．５から１μｍの一般的な乳剤粒度で５０重量％未満の鉱物油を含有する半合成潤滑剤；５重量パーセント未満の鉱物油を含有し、微小液滴として水中に存在する微小乳剤（すなわち、０．５μｍ未満の粒度を有する乳剤）；鉱物油無しだが、水不溶性物質を微小液滴として水中に持つ植物油、動物油、動物性脂肪、天然エステル、合成エステル、ポリグリコール、および／または合成ポリオレフィンを３０重量％までまたはそれ以上含有し得る新合成潤滑剤；および全ての添加剤が水溶性の真溶液合成油などの水性基材潤滑剤において使用され得るが、これらに限定されない。
【００１９】
水混和性加工液は、スチール、アルミニウム、チタン、およびそれらの合金などの切削加工および金属の成形における潤滑剤としての使用に好適であるが、これらに限定されない。加工液はかかる金属を腐食、染色または変色させない、またはほんの極微にする。加工液は耐食性を提供し、他の水性工業液を緩衝する。さらには、加工または成形金属の表面上に残渣量が残った場合、残渣は、熱処理、溶接、コーティングおよび／または塗装などの追加のプロセスを妨害またはマイナスの影響を与えない。
【００２０】
一態様では、加工液を提供し、加工液はホウ素および二級アミンを含まない。加工液は石油系または非石油系油；水；長鎖一級アミン、三級シクロアルキルアミン、特には、エトキシ化三級シクロアルキルアミン、およびアミノ酸を含む。加工液は水混和性であり得る。
【００２１】
いくつかの実施形態では、加工液は石油系油を含む。例示的な石油系油は精製ナフテン油およびパラフィン系油を含むが、これらに限定されない。任意の二つ以上のかかる油の混合物は加工液においても使用され得る。
【００２２】
いくつかの実施形態では、加工液は非石油系油を含む。例示的な非石油系油は、植物油、合成エステル、ポリアルファオレフィン、ポリアルキレングリコール、および植物または動物起源のトリグリセリドなどの脂肪油を含むが、これらに限定されない。任意の二つ以上のかかる油の混合物または任意の石油系油との混合物は加工液においても使用され得る。
【００２３】
長鎖一級アミンは、いくつかの実施形態によると、Ｃ8−Ｃ24一級アミンであり得る。例示的な長鎖一級アミンはオクチルアミン、ノニルアミン、デシルアミン、ウンデシルアミン、ドデシルアミン、トリデシルアミン、テトラデシルアミン、ペンタデシルアミン、ヘキサデシルアミン、ヘプタデシルアミン、またはオクタデシルアミンを含むが、これらに限定されない。加工液は任意の二つ以上のかかる長鎖一級アミンの混合物を含み得る。
【００２４】
例示的なエトキシ化三級シクロアルキルアミンはジ（エタノール）シクロペンチルアミン、ジ（エタノール）シクロヘキシルアミン、ジ（エタノール）シクロヘプチルアミン、ジシクロペンチル（エタノール）アミン、またはジシクロヘキシル（エタノール）アミンを含むが、これらに限定されない。いくつかの実施形態では、エトキシ化三級シクロアルキルアミンはジ（エタノール）シクロヘキシルアミンである。
【００２５】
長鎖一級アミンは約１重量％から約５重量％の量で加工液内に存在し得る。いくつかの実施形態では、長鎖一級アミンは約２重量％から約４重量％で加工液内に存在する。エトキシ化三級シクロアルキルアミンは約１重量％から約５重量％の量で加工液内に存在し得る。いくつかの実施形態では、エトキシ化三級シクロアルキルアミンは約２重量％から約４重量％で加工液内に存在する。
【００２６】
記述のように、加工液はアミノ酸を含む。アミノ酸は良好な乳化特性を液体に提供し、乳剤の分散性および安定性を促進すると考えられている。例えば、アミノ酸はタンパク質原生（アルファ）アミノ酸であり得る。例示的なアミノ酸は式ＮＨ2ＣＨＲ2ＣＯ2Ｈ、ＮＨ2ＣＨ2ＣＨＲ2ＣＯ2Ｈ、またはＮＨ2ＣＨＲ2ＣＨ2ＣＯ2Ｈのいずれか一つのであり得、式中Ｒ2は水素またはアルキルである。いくつかの実施形態では、Ｒ2は水素またはＣ1−Ｃ4アルキルである。例示的なアミノ酸はアラニン、アルギニン、アスパラギン、アスパラギン酸、システイン、グルタミン、グルタミン酸、グリシン、ヒスチジン、イソロイシン、ロイシン、リジン、メチオニン、フェニルアラニン、プロリン、セリン、トレオニン、トリプトファン、チロシン、またはバリンを含み得るが、これらに限定されない。任意の二つ以上のかかるアミノ酸が加工液において使用され得る。任意の上記の実施形態において、アミノ酸はグリシン、リジン、アスパラギン酸、または任意の二つ以上のかかるアミノ酸の混合物であり得る。アミノ酸は約１重量％から約５重量％の量で加工液内に存在し得る。いくつかの実施形態では、アミノ酸は約２重量％から約４重量％で加工液内に存在する。
【００２７】
いくつかの実施形態では、加工液はアルカノールアミンを含む。例示的なアルカノールアミンは、メタノールアミン、エタノールアミン、プロパノールアミン、トリメタノールアミン、トリエタノールアミン、トリプロパノールアミン、メチルジメタノールアミン、エチルジメタノールアミン、プロピルジメタノールアミン、シクロヘキシルジメタノールアミン、メチルジエタノールアミン、エチルジエタノールアミン、またはプロピルジエタノールアミンを含むが、これらに限定されない。任意の二つ以上のかかるアルカノールアミンの混合物が加工液において使用され得る。
【００２８】
アルカノールアミンは約１重量％から約１５重量％の量で加工液内に存在し得る。いくつかの実施形態では、アルカノールアミンは約５重量％から約１０重量％で加工液内に存在する。
【００２９】
記述のように、加工液は重合脂肪酸を含む。重合脂肪酸はヒマシ油由来の重合リシノール酸またはダイズ油または亜麻仁油由来の重合脂肪酸などの物質であり得るが、これらに限定されない。
【００３０】
任意の上記の加工液はリン酸エステルも含み得る。リン酸エステルは圧力、耐摩耗および／または腐食防止剤として使用され得る。液体がリン酸エステルを含む場合、化合物の式は［Ｒ4（ＣＨ2ＣＨ2Ｏ）n］aＰ（Ｏ）［ＯＸ］bである。式において、Ｒ4はＣ6−Ｃ30アルキル、フェニル、（Ｃ1-Ｃ10アルキル）フェニル、または（Ｃ1-Ｃ10ジアルキル）フェニル；Ｘは水素、アンモニウム、テトラアルキルアンモニウム、アミン、またはＬｉ、Ｎａ、Ｋ、Ｒｂ、Ｃｕ、Ａｇ、Ａｕ、Ｂｅ、Ｍｇ、Ｃａ、Ｓｒ、Ｂａ、Ｚｎ、Ｃｄ、およびＨｇである金属である。加えて、式において、ｎは０から５０；ａとｂの合計が３になるように、ａは１、２、または３；およびｂは０、１、または２、である。いくつかの実施形態では、リン酸エステルはポリエチレングリコールモノオレイルエーテルフォスフェート、ポリエチレングリコールモノＣ12−Ｃ15アルコールエーテルフォスフェート、またはポリエチレングリコールモノＣ10−Ｃ14アルコールエーテルフォスフェートである。
【００３１】
いくつかの実施形態では、液体は、エチレンオキシドと脂肪族アミンの反応生成物であるエトキシル化脂肪族アミンを含み、エトキシル化脂肪族アミンは式Ｒ3Ｎ［（ＣＨ2ＣＨ2Ｏ）mＨ］［（ＣＨ2ＣＨ2Ｏ）nＨ］を有する。エトキシル化脂肪族アミンは界面活性剤のような特性を呈し、一般的に乳化剤および／または湿潤剤として使用される。式において、Ｒ3はココアルキル（Ｃ12、Ｃ14飽和）、タロー（Ｃ16、Ｃ18飽和およびＣ18不飽和）、ステアリル（Ｃ18飽和）、およびオレイル（Ｃ18一不飽和）；およびｍとｎは約２から約２０である。いくつかの実施形態では、エトキシル化脂肪族アミンはポリオキシエチレンココアミン、ビス−（２−ヒドロキシエチル）イソトリデシルオキシプロピルアミン（ｉｓｏｔｒｉｄｅｃｙｌｏｘｙｐｒｏｐｙｌａｍｉｎｅ）またはＮ−タロー−ポリ（３）オキシエチレン−１，３−ジアミノプロパンである。
【００３２】
任意の上記の加工液はヒドロカルビルスクシンイミドも含み得る。かかる添加剤は、加工液において分散剤および／または洗剤として使用され得る。ヒドロカルビルスクシンイミドは約５００から約３０００ダルトンの分子量のポリイソブチレンの反応生成物および無水マレイン酸を含み得る。
【００３３】
任意の上記の加工液は含硫化合物も含み得る。含硫化合物、上記のリン酸エステルと併せて、高圧剤（ｈｉｇｈ  ｐｒｅｓｓｕｒｅ  ａｇｅｎｔｓ）、耐摩耗剤、および腐食防止剤として作用し得る。例示的な含硫化合物は元素硫黄、硫化鉱物油、または以下の式の化合物を含み得るが、これらに限定されない。
【化１】
0005970735.tif 000002
かかる式では、Ｒ1は水素、ＳＯ4、ＮＨ2、ＣＨ3、ＣＯＯＨ、ＯＣＨ3、またはＯＣＨ2ＣＨ3である。含硫化合物およびリン酸エステルの両方を含有する加工液では、リン酸エステル対含硫化合物内の硫黄の重量比は約２５：１から約１：１であり得る。
【００３４】
任意の上記の加工液は脂肪族カルボン酸または脂肪族ジカルボン酸も含み得る。これらのタイプの添加剤は一般的に、適当なアルカノールアミンで中和された場合、腐食防止剤、潤滑剤および／または乳化剤として使用される。脂肪族モノまたはジカルボン酸は、様々な実施形態によると、Ｃ6−Ｃ25モノまたはジカルボン酸であり得る。加工液において使用するための例示的なモノおよびジカルボン酸は、ヘキサン酸、ヘプタン酸、オクタン酸、カプリル酸、イソノナン酸、ネオデカン酸、アゼライン酸、デカン酸、ウンデカン酸、セバシン酸、ノナン酸、ドデカン酸、テトラデカン酸、ヘキサデカン酸、オクタデカン酸、エイコサン酸、ドデセン酸、テトラデセン酸、ヘキサデセン酸、オクタデセン酸、エイコサエン酸、ドコセン酸、オクタデカトリエン酸、オクタン二酸、ノナン二酸、リシノール酸、デカン二酸、ウンデカン二酸、ドデカン二酸、トリデカン酸、テトラデカン二酸、ペンタデカン二酸、ヘキサデカン二酸、ヘプタデカン二酸、オクタデカン二酸、ノナデカン二酸、エイコサン二酸、ドコサン二酸、ベヘン酸、アビエチン酸、またはエルカ酸を含むが、これらに限定されない。
【００３５】
任意の上記の加工液は、消泡剤、腐食防止剤、または嗅覚剤を含むが、これらに限定されない、様々なさらなる添加剤も含み得る。
【００３６】
記述されるように、加工液は水性基剤液体である。液体の水の含有率は広範囲にわたって変動し得る。任意の上記の実施形態では、水は約１重量％から約５０重量％で存在し得る。他の実施形態では、水は約１重量％から約２５重量％で存在する。他の実施形態では、水は約２５重量％から約５０重量％で存在する。他の実施形態では、水は約２０重量％から約５０重量％で存在する。他の実施形態では、水は約２５重量％から約３５重量％で存在する。加工液はまた塩基性ｐＨを有する。これは７より大きいｐＨを含み得る。任意の上記の実施形態では、加工液のｐＨは少なくとも９である。例えば、加工液のｐＨは９から１２であり得る。
【００３７】
例示的な実施形態では、加工液は下記のいずれか１つ以上を含み得、および、含まれる場合（物質は必須でない）、物質が存在し得る量は：
工業用液体に基づき、約１重量％から約１０重量％の量、いくつかの実施形態では約３重量％から約５重量％のヒドロカルビルスクシンイミド；
工業用液体に基づき、約１重量％から約１５重量％の量、いくつかの実施形態では約５重量％から約１０重量％のアルカノールアミン；
工業用液体に基づき、約１重量％から約１０重量％の量、いくつかの実施形態では約２重量％から約７重量％の混合Ｃ7−Ｃ25脂肪酸；
工業用液体に基づき、約１重量％から約５重量％の量、いくつかの実施形態では約１重量％から約３重量％のＣ15−Ｃ22脂肪酸に由来する重合脂肪酸；
工業用液体に基づき、約０．５重量％から約５重量％の量、いくつかの実施形態では約１重量％から約３重量％の一および／または二塩基性のＣ7−Ｃ25酸；
工業用液体に基づき、約１重量％から約１０重量％の量、いくつかの実施形態では約２重量％から約４重量％のリン酸エステル；
工業用液体に基づき、約０．５重量％から約３重量％の量、いくつかの実施形態では約０．７重量％から約１．５重量％のエトキシル化脂肪族アミン；
工業用液体に基づき、約０．５重量％から約３重量％の量、いくつかの実施形態では約０．７重量％から約１．５重量％のグリセリン；
工業用液体に基づき、約０．５重量％から約３重量％の量、いくつかの実施形態では約０．７重量％から約１．５重量％の泡抑止剤；
工業用液体に基づき、約０．１重量％から約１重量％の量、いくつかの実施形態では約０．１５重量％から約０．５重量％の腐食防止剤；
その脂肪酸部分がＣ6−Ｃ22脂肪酸に由来する水溶性の潤滑剤としてアルカノールアミン脂肪酸石鹸、いくつかの実施形態では約１０重量％から約１５重量％；
リン酸エステル対含硫化合物の重量比が約２５：１から約１：１の範囲内の含硫化合物（前記含硫化合物内の硫黄の重量に基づく）；および
組成物の残りを埋め合わせるのに十分な量、すなわち工業用液体に基づき、約２０重量％から約６０重量％の量、いくつかの実施形態では約３０重量％から約４０重量％の基油。
【００３８】
例示的な実施形態では、加工液は以下を含み得る：
【表１】
0005970735.tif 000003
【００３９】
このように概して記載される本発明は、実例として提供され、本発明を限定するものと意図されず、下記の実施例を参照してより容易に理解されるだろう。
【００４０】
＜実施例＞
実施例１．ｐＨ安定性試験。成形液を表１に提示する配合率に基づいて、物質の組み合わせによって調製した。
【表２】
0005970735.tif 000004
【表３】
0005970735.tif 000005
表１：液体配合率
【００４１】
表１では、下記の定義を適用する：
【００４２】
ＤＣＨＡはジシクロヘキシルアミンの略語である。
【００４３】
ＭＤＣＨＡはメチルジシクロヘキシルアミンの略語である。
【００４４】
アミン混合物１はジシクロヘキシルアミンおよびジブチルアミノエタノールの混合物である。
【００４５】
アミン混合物２はメチルジシクロヘキシルアミン、ジブチルアミノエタノール、およびメチルジエタノールアミンの混合物である。
【００４６】
アミン混合物３は３−アミノ−４−オクタノールおよび２−アミノ−２−メチル−１−プロパノールの混合物である。
【００４７】
脂肪族一級アミンは下記の一つまたはそれ以上から選択される：ノニルアミン、デシルアミン、ウンデシルアミン、ドデシルアミン、トリデシルアミン、テトラデシルアミン、ペンタデシルアミン、ヘキサデシルアミン、ヘプタデシルアミン、またはオクタデシルアミン。
【００４８】
アルファアミノ酸は下記の一つまたはそれ以上から選択される：アラニン、アスパラギン酸、システイン、グルタミン、グルタミン酸、グリシン、ロイシン、リジン、メチオニン、フェニルアミン、プロリン、トリプトファン、チロシン、またはバリン。
【００４９】
アルカノールアミン混合物はモノエタノールアミン、モノイソプロピルアミン、およびトリエタノールアミンの混合物である。
【００５０】
脂肪酸混合物１はトール油脂肪酸、ネオデカン酸、および二塩基酸の混合物である。
【００５１】
脂肪酸混合物２は重合リシノール酸、高エルカ酸、およびリシノール酸の混合物である。
【００５２】
表１に提示される結果について、いくつかの結論が描かれ得る。第一に、長鎖脂肪族アミンとタンパク質原生アミノ酸の相乗的組み合わせを含有する、実施例７の作動油試料が採用された場合、作動濃度での乳剤のｐＨ安定性は非常に良かった。対照的に、同一の条件下で試験された他の乳剤試料のｐＨ安定性は劣っていた。
【００５３】
第二に、長鎖脂肪族アミン、タンパク質原生アミノ酸および環状アミンの相乗的組み合わせを含有する、実施例２３の作動油試料、作動濃度でのタップトルクは低く、アルミニウム合金に非常に良い潤滑特性を提供する。対照的に、他の乳剤試料の、同じ試験条件下でタップトルク試験によって計測された潤滑特性は劣っていた。
【００５４】
第三に、実施例２３の作動油試料が試験された場合、作動濃度でのタップトルクは低く、チタン合金に非常に良い潤滑特性を提供する。対照的に、他の乳剤試料の、同じ試験条件下でタップトルク試験によって計測された潤滑特性は劣っていた。
【００５５】
第四に、実施例２３の作動油試料は、作動濃度で非常に良い残渣形成および後の洗い落とし特性を呈した。対照的に、同一条件下で試験された他の乳剤試料の残渣および洗い落とし特性は劣っていた。
【００５６】
実施例２３の配合設計の比較では、Ｆｕｃｈｓ（ＥＣＯＣＯＯＬ（登録商標）７６１Ｂ）からの他の潤滑液と比較された。結果を表２に提示する。
【表４】
0005970735.tif 000006
【００５７】
表２に提示されたデータに基づき、実施例２３において提供された配合設計は、最先端のクーラントにいくつかの点で匹敵し、他の点では著しく優れる。例えば、潤滑性、チタン切削加工、残渣物質、およびエアバス性能については、実施例２３の配合設計が最先端より優れている。
【００５８】
表２において、下記が、試験に提供されたパラメータである：
1ＰＨ安定性：各液体の乳剤を２通りで、一切れの寒天存在下で１０％の濃度で調製した。微生物懸濁液の単回接種を加え、２５℃で１４日の期間にわたって培養した。乳剤の安定性は試験の開始終了間のｐＨ値における差異を計測することによって評価された。
2ＴＥＷＬ。経皮水分喪失量（ＴＥＷＬ）は皮膚病学および関連科学に因んだ用語である。体内から表皮層（皮膚）を通して、周囲大気に拡散および蒸発過程を介して通過する水の量の計測と定義されている。ＴＥＷＬの計測は、ＴＥＷＬの割合はダメージの水準に比例して増加するため、特定の化学物質よって引き起こされる皮膚ダメージの確認に有用であり得る。
3ＦＬＣ  ｍｉｒｃｏｔａｐトルク試験。値が低いほど潤滑性が優れることを示す。切削加工性能。
アルミニウム：Ｍｉｒｃｏｔａｐ試験は各生成物に行われ、１０％体積％の濃度まで希釈された。全てのアルミニウム試験はアルミニウム６０６１バー上のドリル加工される前の孔に行われた。
チタン：Ｍｉｒｃｏｔａｐ試験は各生成物に行われ、２０％体積％の濃度まで希釈された。全てのチタン試験はチタンバー上のドリル加工される前の孔に行われた。全ての試験はＭｉｃｒｏ−ｅｌｅｃｔｒｏｎｉｓｃｈｅ  Ｇｅｒａｔｅ  ＧＭＢＨのＭｅｇａｔａｐＩＩで実行された。
【表５】
0005970735.tif 000007
4工作機械−Ｆｕｃｈｓ社イギリス。本試験は、ＯＥＭ航空宇宙金属加工試験プロトコル（ＯＥＭ  Ａｅｒｏｓｐａｃｅ  ｍｅｔａｌ  ｗｏｒｋｉｎｇ  ｔｅｓｔ  ｐｒｏｔｏｃｏｌ）に基づき、イギリスのＦｕｃｈｓ社の工作機械試験設備で実行された。本方法は、超硬エンドミルを使用したミリングチタン合金に基づいている。工具摩耗を、工具が高摩耗水準に達するおよび工具の切削端が粉砕するまで、切削中５分間隔で、立体顕微鏡下で計測する。これにより、工具寿命を得ることができ、切削の分数で引用することができる。工具データ：Ｓａｎｄｖｉｋ  １６ｍｍエンドミル  Ｒ２１６．２４  １６０５０ＩＡＫ３２Ｐ１６２０。基質：Ｔｉ６ＡＩ−４Ｖ、グレード５  ＡＳＴＭ  Ｂ３４８。試験条件：毎分回転数−２３３７ｒｐｍ；フィード−９７２ｍｍ／分；軸方向切込み深さ−１０．０ｍｍ；半径方向切込み深さ−１．０ｍｍ；切込み長−７４０ｍｍ；リードイン半径−１０．０ｍｍ；リードアウト半径−１０．０ｍｍ。
5エアバス性能試験はＡＢＲ９−０２０４により実行された。
6乳剤安定性：生成物を５％で（１）水道水（１２５ｐｐｍのカルシウム）、（２）水と５００ｐｐｍのカルシウム、（３）水と５００ｐｐｍのマグネシウム、および（４）水と１、０００ｐｐｍカルシウムに混合し、全試料を２４時間放置した。沈殿が底で形成されるまたは上で地汚れが見られた場合、生成物は実証された水の硬度では不安定と考えられる。性能評価：非常に良い（全硬度（１）、（２）、（３）、（４）において安定）；良い（（１）、（２）および（３）において安定）；普通（（１）および（２）において安定）。
7発泡制御：試験−３００ｍｌの乳剤を５％で水道水（１２５ｐｐｍのカルシウム）において調製し、ワ―リングブレンダー内で高速で１分間ブレンドした。液体を一気に１０００ｍｌメスシリンダーに注ぎ入れ、泡の高さを計測する。泡の高さはブレンド停止２分後に再度計測された。性能評価：非常に良い発泡制御（＜２０ｍｌ発泡）；良い（＜５０ｍｌ発泡）；および普通（＜１００ｍｌ）。
8鋳鉄腐食：生成物を指示濃度（１、２、３、および４％）で水道水（＜２５ｐｐｍの塩化物）に混合する。混合物を次いでＡＳＴＭ鋳鉄切粉に添加し、ろ紙上に配置し、２時間覆い、次いで覆いを除去し、混合物を一晩自然に乾燥させた。性能評価：非常に良い（２％でサビを呈さず）；良い（３％でサビを呈さず）；および普通（４％でサビを呈さず）。
9非鉄染色：非鉄試片を機械的に挟み、アセトン内に保存してから、２０時間にわたって、１０％で水道水（−１２０ｐｐｍ硬度）に混合された生成物に浸した。
10トランプオイル分離：９５ｍＬの生成物を５％で５ｍＬの油圧油（Ｒｅｎｏｌｉｎ  ＡＷ６８）を伴う水道水（１２５ｐｐｍのカルシウム）に混合し、次いでワ―リングブレンダー内で高速で１分間ブレンドした。液体を一気に１００ｍｌメスシリンダーに注ぎ入れ２４時間静置させる。液体の上の油とクリームを読み取る。性能評価：非常に良いトランプ分離性能（３ｍｌの油層および１ｍｌのクリーム層）；良い（２ｍｌの油層および１ｍｌのクリーム層）。
11残渣洗い落とし試験。水道水（カルシウム１２５ｐｐｍ）に入った５０ｍｌの５つの乳剤の生成物を４８．８℃のオーブン内のシャーレの中に２４時間配置する。２４時間後の残渣発現が記録され、次いで冷水でタップして洗い落とされる。性能評価：非常に良い（ソフト／一部液体、早い洗い落とし、残渣なし）；良い（ソフト／一部液体、遅い、が、洗い落とし後は残渣なし）；普通（一部液体／粘着性、遅い、不完全な洗い落とし）。
12ＦＬＣ試験＃。再循環試験：これは、再循環切削加工油受け皿内でどのように生成物が動作するかを測定する試験である。脱イオン水（２Ｌ）内の生成物の１０％希釈液を４リットルのビーカー内に配置する。ポンプとホースを使用して、生成物を次いで再循環する。３０分毎に１００ｐｐｍの硬度を計３００ｐｐｍの硬度（カルシウムとして）まで加える。液体を次いで毎日（夜間停止）３週間にわたって再循環する。性能評価：非常に良い（乳剤は試験中を通して安定、低発泡。不安定性なしまたは不溶性石鹸の形成）；良い（いくつかの乳剤は不安定、中程度の発泡および不溶性石鹸の形成）；普通（中程度の不安定性、発泡の増加および不溶性石鹸の形成）；および悪い（乳剤分離、高発泡および重不溶性石鹸の形成）。
13濃縮液安定性：２０ｍｌの生成物を３つの別々のバイアルに配置し、次いで異なるバイアルをａ）４８．８℃に設定されたオーブンおよびｂ）４．４℃に設定された冷蔵庫およびｃ）−１８℃に設定された冷凍庫に入れる。バイアルを濃縮液安定性について一日毎にチェックする。冷凍庫内の試料は一日毎に取り出され、安定性を記録する前に自然に室温まで温められる。安定性試験は一般的に５日間にわたって行われる。いずれの目視間隔、ドロップアウト、または濁りも安定性の問題と考えられる。結果：生成物は、オーブンにおいて非常に僅かな暗化があるが、非常に良い濃縮液安定性を呈した。生成物は硬く凍るが室温に戻ったときには、撹拌を必要とすることなく明るく澄んでいる。
【００５９】
特定の実施形態を例示し説明してきたが、下記の特許請求の範囲で定義されるそのより広い態様における技術から逸脱することなく、変更および修正が当業者に従ってなされ得ることが理解されるべきである。
【００６０】
例示的に本明細書に記載される実施形態は、本明細書に具体的に開示されていない、任意の要素、制限無しでも好適に実行され得る。ゆえに、例えば、用語「備える」、「含む」、「含有する」、などは拡張的に、制限されることなく読まれるものとする。加えて、本明細書で採用される用語および表現は、説明の用語で限定のものではないとして使用されており、かかる用語および表現の使用において示されるおよび記載される特徴の任意の等価物またはそれらの部分を除外する意図はないが、様々な修正が特許請求される範囲内で可能であると認識される。加えて、語句「を主成分とする」は具体的に列挙された要素および特許請求される技術の基礎および新規性に実質的に影響を与えない追加要素を含むと理解されるだろう。語句「からなる」は指定されていない任意の要素を除外する。
【００６１】
本開示は、本出願に記載の特定の実施形態に関して限定されるべきではない。多くの修正及び改変が当業者には明らかなように、その精神および範囲から逸脱することなく行われることができる。本明細書で列挙したものに加えて、本開示の範囲内の機能的に同等な方法および組成物は、前述の説明から当業者には明らかであろう。かかる修正および改変は、添付の特許請求の範囲内に入ることが意図されている。本開示は、そのような請求項が権利を有する等価物の全範囲とともに、添付の特許請求の用語によってのみ限定されるものである。この開示は特定の方法、試薬、化合物組成物または生物系に限定されず、当然に変更できることが理解されるべきである。また、本明細書で使用される専門用語は単に特定の態様を記載する目的のためであり、限定を意図するものではないことが理解されるべきである。
【００６２】
加えて、本開示の特徴又は態様がマーカッシュ群で記載される場合、当業者は、本開示はまた、それによって、任意の個別の構成要素もしくはマーカッシュ群の構成要素のサブグループに関しても記載されていることを認識するであろう。
【００６３】
当業者によって理解されるように、特に明細書を提供するという点で任意のおよび全ての目的のために、本明細書に開示される全ての範囲は、任意および全ての可能な部分的範囲及びその部分的範囲の組み合わせも包含する。任意の列挙された範囲は、十分に説明しており、同一の範囲を少なくとも二等分、三等分、四等分、五等分、十等分などに分解することを可能にしていると容易に認識されることができる。非限定的な例として、本明細書に記載の各範囲は、容易に下部三、中部三および上部三分などに分解することができる。また「まで」、「少なくとも」、「より大きい」、「未満」、および同類のものなどの全言語が、上述したように、その後部分的範囲に分解することができる範囲に列挙および言及された数値を含むことも当業者によって理解されるだろう。最後に、当業者によって理解されるように、範囲には各個別の構成要素が含まれる。
【００６４】
本明細書内に参照された全出版物、特許出願、登録特許、および他の文献は、各個別の出版物、特許出願、登録特許または他の文献が具体的におよび個別にその全体が参照により組み込まれるよう指示されたように、参照により本明細書に組み込まれる。参照により組み込まれた文章に含有される定義は、それが本開示における定義に矛盾する範囲は排除される。
【００６５】
他の実施形態は下記の請求項に述べられる。
本発明のまた別の態様は、以下のとおりであってもよい。
〔１〕
長鎖一級アミン、三級シクロアルキルアミン、およびアミノ酸を備え、
前記添加組成物がホウ素無しで二級アミンを含まない、添加組成物。
〔２〕
前記長鎖一級アミンが、Ｃ8−Ｃ24一級アミンである、前記〔１〕に記載の添加組成物。
〔３〕
前記三級シクロアルキルアミンが、ジ（エタノール）シクロペンチルアミン、ジ（エタノール）シクロヘキシルアミン、ジ（エタノール）シクロヘプチルアミン、ジシクロペンチル（エタノール）アミン、および／またはジシクロヘキシル（エタノール）アミンを備える群より選択されるエトキシ化三級シクロアルキルアミンである、前記〔１〕に記載の添加組成物。
〔４〕
前記アミノ酸が、式ＮＨ2ＣＨＲ2ＣＯ2Ｈであり、式中Ｒ2が水素またはアルキルである、前記〔１〕に記載の添加組成物。
〔５〕
式中、Ｒ2が、水素またはＣ1−Ｃ4アルキルである、前記〔４〕に記載の添加組成物。
〔６〕
前記アミノ酸が、アラニン、アルギニン、アスパラギン、アスパラギン酸、システイン、グルタミン、グルタミン酸、グリシン、ヒスチジン、イソロイシン、ロイシン、リジン、メチオニン、フェニルアラニン、プロリン、セリン、トレオニン、トリプトファン、チロシン、またはバリンである、前記〔１〕に記載の添加組成物。
〔７〕
前記アミノ酸が、グリシン、リジン、またはアスパラギン酸である、前記〔１〕に記載の添加組成物。
〔８〕
加工液であって、
石油系または非石油系油；
水、
長鎖一級アミン、
三級シクロアルキルアミン、および
アミノ酸を備え、前記加工液がホウ素無しで二級アミンを含まないことを特徴とする、加工液。
〔９〕
前記長鎖一級アミンが、Ｃ8−Ｃ24一級アミンである、前記〔８〕に記載の加工液。
〔１０〕
前記長鎖一級アミンが、オクチルアミン、ノニルアミン、デシルアミン、ウンデシルアミン、ドデシルアミン、トリデシルアミン、テトラデシルアミン、ペンタデシルアミン、ヘキサデシルアミン、ヘプタデシルアミン、またはオクタデシルアミンを備える、前記〔８〕に記載の加工液。
〔１１〕
前記三級シクロアルキルアミンが、ジ（エタノール）シクロペンチルアミン、ジ（エタノール）シクロヘキシルアミン、ジ（エタノール）シクロヘプチルアミン、ジシクロペンチル（エタノール）アミン、またはジシクロヘキシル（エタノール）アミンから選択されるエトキシ化三級シクロアルキルアミンである、前記〔８〕に記載の加工液。
〔１２〕
前記アミノ酸が、式ＮＨ2ＣＨＲ2ＣＯ2Ｈであり、式中、Ｒ2が水素、アルキル、またはアリールである、前記〔８〕に記載の加工液。
〔１３〕
式中、Ｒ2が、水素、Ｃ1−Ｃ4アルキル、またはＣ6−Ｃ12アルキルである、前記〔１２〕に記載の加工液。
〔１４〕
前記アミノ酸が、アラニン、アルギニン、アスパラギン、アスパラギン酸、システイン、グルタミン、グルタミン酸、グリシン、ヒスチジン、イソロイシン、ロイシン、リジン、メチオニン、フェニルアラニン、プロリン、セリン、トレオニン、トリプトファン、チロシン、またはバリンである、前記〔８〕に記載の加工液。
〔１５〕
前記アミノ酸が、グリシン、リジン、またはアスパラギン酸である、前記〔８〕に記載の加工液。
〔１６〕
さらにアルカノールアミンを備える、前記〔８〕に記載の加工液。
〔１７〕
前記アルカノールアミンが、メタノールアミン、エタノールアミン、プロパノールアミン、トリメタノールアミン、トリエタノールアミン、トリプロパノールアミン、メチルジメタノールアミン、エチルジメタノールアミン、プロピルジメタノールアミン、シクロヘキシルジメタノールアミン、メチルジエタノールアミン、エチルジエタノールアミン、またはプロピルジエタノールアミンを備える、前記〔１６〕に記載の加工液。
〔１８〕
さらに重合脂肪酸を備える、前記〔８〕に記載の加工液。
〔１９〕
前記重合脂肪酸が、ヒマシ油に由来する重合リシノール酸、またはダイズ油または亜麻仁油に由来する重合脂肪酸である、前記〔１８〕に記載の加工液。
〔２０〕
前記石油系油を備える、前記〔８〕に記載の加工液。
〔２１〕
前記石油系油が、精製ナフテン油またはパラフィン系油である、前記〔２０〕に記載の加工液。
〔２２〕
前記非石油系油を備える、前記〔８〕に記載の加工液。
〔２３〕
前記非石油系油が、植物油、合成エステル、ポリアルファオレフィン、ポリアルキレングリコール、または脂肪油である、前記〔２２〕に記載の加工液。
〔２４〕
さらにリン酸エステルおよび／またはエトキシル化脂肪族アミンを備える、前記〔８〕に記載の加工液。
〔２５〕
式：［Ｒ4（ＣＨ2ＣＨ2Ｏ）n］aＰ（Ｏ）［ＯＸ］bである前記リン酸エステルを備え、式中Ｒ4はＣ6−Ｃ30アルキル、フェニル、（Ｃ1−Ｃ10アルキル）フェニル、または（Ｃ1−Ｃ10ジアルキル）フェニル；Ｘは水素、アンモニウム、テトラアルキルアンモニウム、アミン、またはＬｉ、Ｎａ、Ｋ、Ｒｂ、Ｃｕ、Ａｇ、Ａｕ、Ｂｅ、Ｍｇ、Ｃａ、Ｓｒ、Ｂａ、Ｚｎ、Ｃｄ、およびＨｇからなる群より選択される金属；ｎは０から５０；ａとｂの合計は３という条件のもと、ａは１、２、または３；およびｂは０、１、または２である、前記〔２４〕に記載の加工液。
〔２６〕
前記リン酸エステルが、ポリエチレングリコールモノオレイルエーテルフォスフェート、ポリエチレングリコールモノＣ12−Ｃ15アルコールエーテルフォスフェート、またはポリエチレングリコールモノＣ10−Ｃ14アルコールエーテルフォスフェートである、前記〔２５〕に記載の加工液。
〔２７〕
前記エトキシル化脂肪族アミンを備え、前記エトキシル化脂肪族アミンはエチレンオキシドおよび脂肪族アミンの反応生成物であり、前記エトキシル化脂肪族アミンは式Ｒ3Ｎ［（ＣＨ2ＣＨ2Ｏ）mＨ］［（ＣＨ2ＣＨ2Ｏ）nＨ］を有し、式中、Ｒ3はココアルキル、タロー、またはステアリル、オレイル、ｍは２から２０、（２と２０を含む）、およびｎは２から２０、（２と２０を含む）、である、前記〔２６〕に記載の加工液。
〔２８〕
前記エトキシル化脂肪族アミンが、ポリオキシエチレンココアミン、ビス−（２−ヒドロキシエチル）イソトリデシルオキシプロピルアミンまたはＮ−タロー−ポリ（３）オキシエチレン−１，３−ジアミノプロパンである、前記〔２７〕に記載の加工液。
〔２９〕
前記水が、約１重量％から約５０重量％で存在する、前記〔８〕に記載の加工液。
〔３０〕
さらにヒドロカルビルスクシンイミドを備える、前記〔８〕に記載の加工液。
〔３１〕
前記ヒドロカルビルスクシンイミドが、約５００から約３０００ダルトンの分子量のポリイソブチレンの前記反応生成物および無水マレイン酸を備える、前記〔３０〕に記載の加工液。
〔３２〕
さらに含硫化合物を備える、前記〔８〕に記載の加工液。
〔３３〕
前記含硫化合物が元素硫黄、硫化鉱物油、または式の化合物：
【化１】
0005970735.tif 000008
式中、Ｒ1は水素、ＳＯ4、ＮＨ2、ＣＨ3、ＣＯＯＨ、ＯＣＨ3、またはＯＣＨ2ＣＨ3、である、前記〔３２〕に記載の加工液。
〔３４〕
含硫化合物およびリン酸エステルを備え、前記リン酸エステル対前記含硫化合物内の前硫黄の重量比が約２５：１から約１：１である、前記〔８〕に記載の加工液。
〔３５〕
さらに脂肪族カルボン酸または脂肪族ジカルボン酸を備える、前記〔８〕に記載の加工液。
〔３６〕
前記脂肪族モノまたはジカルボン酸が、Ｃ7−Ｃ25モノまたはジカルボン酸である、前記〔３５〕に記載の加工液。
〔３７〕
前記脂肪族モノまたはジカルボン酸がヘキサン酸、ヘプタン酸、オクタン酸、カプリル酸、イソアノン酸（ｉｓｏａｎｎｏｉｃ）、ネオデカン酸、アゼレイン酸（ａｚｅｌｅｉｃ）、デカン酸、ウンデカン酸、セバシン酸、ノナン酸、ドデカン酸、テトラデカン酸、ヘキサデカン酸、オクタデカン酸、エイコサン酸、ドコサン酸、ドデセン酸、テトラデセン酸、ヘキサデセン酸、オクタデセン酸、エイコサエン酸、ドコセン酸、オクタデカトリエン酸、オクタン二酸、ノナン二酸、リシノール酸、デカン二酸、ウンデカン二酸、ドデカン二酸、トリデカン酸、テトラデカン二酸、ペンタデカン二酸、ヘキサデカン二酸、ヘプタデカン二酸、オクタデカン二酸、ノナデカン二酸、エイコサン二酸、ドコサン二酸、ベヘン酸、アビエチン酸、またはエルカ酸である、前記〔３５〕に記載の加工液。
〔３８〕
さらに消泡剤、腐食防止剤、または嗅覚剤を備える添加剤を備える、前記〔８〕に記載の加工液。
〔３９〕
少なくとも９のｐＨを有する、前記〔８〕に記載の加工液。
〔４０〕
９から１２のｐＨを有する、前記〔８〕に記載の加工液。
他の実施形態は下記の請求項に述べられる。